(57)【要約】      （修正有）【課題】災害の発生時において迅速かつ確実に緊急警報放送を受信し、利用者に対して災害の発生を迅速に提示する。【解決手段】緊急警報放送監視部１９３は、最も近いＮＨＫ中継局を特定し、特定されたＮＨＫ中継局を選局する選局指令ＣＳＬEをＲＦ処理ユニット１２０Eへ送り、緊急警報放送の受信の有無に関する情報及びＣＮＲ（Ｃａｒｒｉｅｒ  ｔｏ  Ｎｏｉｓｅ  Ｒａｔｉｏ）の検出値ＣＮＲを取得する。緊急警報放送監視部１９３は、特定されたＮＨＫ中継局の放送波の受信品質が受信可能な所定品質以上の場合には、特定されたＮＨＫ中継局の選局を維持しつつ、緊急警報放送が開始されたか否かを監視する。一方、特定されたＮＨＫ中継局の放送波の受信品質が所定品質より低い場合には、定期的にＮＨＫの放送波の受信品質を確認しつつ、放送波の選局周波数を順次切り替えてＮＨＫ以外の放送局での緊急警報放送の開始を監視するためのサーチ処理を実行する。【選択図】図３
2015192187.tif 000002
【特許請求の範囲】
【請求項１】
放送波を受信して選局処理を行う受信部と；
前記受信部が前記選局処理に際して利用する選局周波数を制御し、前記受信部が選局している放送局の放送波に緊急警報放送が含まれているか否かを判断する制御部と；
前記受信部が選局した放送局の放送波に緊急警報放送が含まれていた場合に、前記緊急警報放送に関する情報を利用者に提示する提示部と；を備え、
前記制御部は、
所定の放送局を前記受信部に選局させている状態において、前記所定の放送局の放送波の受信品質が所定品質より低い場合には、前記選局周波数を順次切り替えるサーチ処理を前記受信部に実行させ、
前記サーチ処理では、所定回数の選局周波数の切り替えを行った後に、前記受信部に前記所定の放送局を選局させ、前記所定の放送局の放送波の受信品質が前記所定品質より低い場合には、再度、前記選局周波数を順次切り替える処理を続行させる、
ことを特徴とする放送受信装置。
【請求項２】
前記制御部は、前記サーチ処理において受信可能であった放送局の放送波に対応する選局周波数を記憶部に記憶しておき、次のサーチ処理においては、前記記憶部に記憶された選局周波数を順次切り替えるサーチ処理を前記受信部に実行させる、ことを特徴とする請求項１に記載の放送受信装置。
【請求項３】
前記制御部は、前記サーチ処理では、所定回数の選局周波数の切り替えを行った後に、前記受信部に前記所定の放送局を選局させ、前記所定の放送局の放送波の受信品質が前記所定品質以上の場合には、前記サーチ処理を終了させる、ことを特徴とする請求項１又は２に記載の放送受信装置。
【請求項４】
前記放送受信装置としての機能選択が利用者により行われていないときに、前記提示部は、前記受信部による前記所定の放送局の放送波の受信状況を示す情報を利用者に提示する、ことを特徴とする請求項１〜３のいずれか一項に記載の放送受信装置。
【請求項５】
放送波を受信して選局処理を行う受信部と；
前記受信部が前記選局処理に際して利用する選局周波数を制御し、前記受信部が選局している放送局の放送波に緊急警報放送が含まれているか否かを判断する制御部と；
前記受信部が選局した放送局の放送波に緊急警報放送が含まれていた場合に、前記緊急警報放送に関する情報を利用者に提示する提示部と；を備え、
前記制御部は、
所定の放送局を前記受信部に選局させている状態において、前記所定の放送局の放送波の受信品質が所定品質より低い場合には、前記選局周波数を順次切り替えるサーチ処理を前記受信部に実行させ、
前記受信部が前記所定の放送局を選局している場合には、前記所定の放送局の放送波の受信状況を示す情報を、前記提示部を使用して利用者に提示し、
前記サーチ処理を実行している場合には、サーチ処理の実行中であることを示す情報を、前記提示部を利用して利用者に提示し、
前記受信部が選局した放送局の放送波に緊急警報放送が含まれているか否かを判断している場合には、前記判断中であることを示す情報を、前記提示部を利用して提示する、
ことを特徴とする放送受信装置。
【請求項６】
放送波を受信して選局処理を行う受信部を備える放送受信装置において使用される放送受信方法であって、
前記受信部が前記選局処理に際して利用する選局周波数を制御し、前記受信部が選局している放送局の放送波に緊急警報放送が含まれているか否かを判断する制御工程と；
前記受信部が選局した放送局の放送波に緊急警報放送が含まれていた場合に、前記緊急警報放送に関する情報を利用者に提示する提示工程と；を備え、
前記制御工程では、
所定の放送局を前記受信部に選局させている状態において、前記所定の放送局の放送波の受信品質が所定品質より低い場合には、前記選局周波数を順次切り替えるサーチ処理を前記受信部に実行させ、
前記サーチ処理では、所定回数の選局周波数の切り替えを行った後に、前記受信部に前記所定の放送局を選局させ、前記所定の放送局の放送波の受信品質が前記所定品質より低い場合には、再度、前記選局周波数を順次切り替える処理を続行させる、
ことを特徴とする放送受信方法。
【請求項７】
放送受信装置が有するコンピュータに、請求項６に記載の放送受信方法を実行させる、ことを特徴とする放送受信プログラム。
【請求項８】
放送受信装置が有するコンピュータにより読み取り可能に、請求項７に記載の放送受信プログラムが記録されている、ことを特徴とする記録媒体。
【発明の詳細な説明】
【技術分野】
【０００１】
本発明は、放送受信装置、放送受信方法、放送受信プログラム、及び、当該放送受信プログラムが記録された記録媒体に関する。
【背景技術】
【０００２】
従来から、テレビジョン放送やラジオ放送の放送局において、地震や津波等の災害が発生したとき、又は当該災害の発生が予測されるとき等に、その災害情報等を伝える緊急警報放送（ＥＷＳ：Emergency Warning System）を送信することが行われている。そこで、従来から、放送局が送信する緊急警報放送を受信する放送受信装置が登場してきている。そして、放送受信装置において、放送局が緊急警報放送を送信したことを利用者に提示するための様々な技術が提案されてきている。
【０００３】
かかる提案技術の一つとして、複数の放送局から送信される緊急警報放送を受信するものがある（特許文献１参照：以下、「従来例１」と呼ぶ）。この従来例１の技術では、２つの受信部（アンテナ、チューナ、復調器）を有し、通常視聴時は、２つの受信部が放送波をダイバーシティ方式で受信する。こうした通常視聴時の状態で、緊急警報放送を受信すると、一の受信部が視聴中の放送局の放送波を継続して受信し、他の受信部が、一の受信部が選局している放送局以外の放送局の放送波を受信する。そして、他の受信部が緊急警報放送を受信した際には、一の受信部で受信した緊急警報放送の内容と、他の受信部で受信した緊急警報放送の内容とを、併せて表示装置に表示するようになっている。
【０００４】
また、他の提案技術として、特定の放送局から送信される緊急警報放送を受信するものがある（特許文献２参照：以下、「従来例２」と呼ぶ）。この従来例２の技術では、緊急警報放送が日本放送協会（以下、「ＮＨＫ」とも記す）によって送信されることが多いことに鑑みて、移動時において、ＮＨＫの周波数データが書き込まれたメモリを参照して、規定の受信レベル以上のＮＨＫを選局し、緊急警報放送の受信を待機する。そして、選局しているＮＨＫの受信レベルが規定のレベルよりも低くなったときには、ＮＨＫの周波数データが書き込まれたメモリを参照して、選局をあらためて実行するようになっている。
【先行技術文献】
【特許文献】
【０００５】
【特許文献１】特開２００８−２５８８７０号公報
【特許文献２】特開平９−８６０７号公報
【発明の概要】
【発明が解決しようとする課題】
【０００６】
上述した従来例１の技術では、視聴している放送局が緊急警報放送を放送した際に、利用者は緊急警報放送を放送するような災害が発生したこと、又は、災害の発生が予測されること等（以下、単に「災害の発生」又は「災害の発生等」とも記す）を知ることになる。このため、利用者が視聴していない他の放送局が、現在視聴している放送局よりも前に緊急警報放送を放送した場合には、当該他の放送局を選局して通常視聴していた場合と比べて、災害の発生等についての利用者への報知が遅れることになってしまう。
【０００７】
また、上述した従来例２の技術では、選局しているＮＨＫの受信レベルが規定のレベルより低くなった際にも、受信可能な他の放送局を選局せずに、ＮＨＫの選局をあたらためて実行する。このため、ＮＨＫの放送波が受信できない状態で、受信可能なＮＨＫ以外の放送局が緊急警報放送を放送していた場合には、災害の発生等についての利用者への報知が遅れることになってしまう。
【０００８】
したがって、従来例１，２の技術では、緊急警報放送を放送するような災害の発生時において、利用者に対して、迅速かつ確実に当該災害の発生を提示することができない場合があった。
【０００９】
このため、災害の発生時において迅速かつ確実に緊急警報放送を受信し、利用者に対して災害の発生を迅速に提示することができる技術が望まれている。かかる要請に応えることが、本発明が解決すべき課題の一つとして挙げられる。
【課題を解決するための手段】
【００１０】
請求項１に記載の発明は、放送波を受信して選局処理を行う受信部と；前記受信部が前記選局処理に際して利用する選局周波数を制御し、前記受信部が選局している放送局の放送波に緊急警報放送が含まれているか否かを判断する制御部と；前記受信部が選局した放送局の放送波に緊急警報放送が含まれていた場合に、前記緊急警報放送に関する情報を利用者に提示する提示部と；を備え、前記制御部は、所定の放送局を前記受信部に選局させている状態において、前記所定の放送局の放送波の受信品質が所定品質より低い場合には、前記選局周波数を順次切り替えるサーチ処理を前記受信部に実行させ、前記サーチ処理では、所定回数の選局周波数の切り替えを行った後に、前記受信部に前記所定の放送局を選局させ、前記所定の放送局の放送波の受信品質が前記所定品質より低い場合には、再度、前記選局周波数を順次切り替える処理を続行させる、ことを特徴とする放送受信装置である。
【００１１】
請求項５に記載の発明は、放送波を受信して選局処理を行う受信部と；前記受信部が前記選局処理に際して利用する選局周波数を制御し、前記受信部が選局している放送局の放送波に緊急警報放送が含まれているか否かを判断する制御部と；前記受信部が選局した放送局の放送波に緊急警報放送が含まれていた場合に、前記緊急警報放送に関する情報を利用者に提示する提示部と；を備え、前記制御部は、所定の放送局を前記受信部に選局させている状態において、前記所定の放送局の放送波の受信品質が所定品質より低い場合には、前記選局周波数を順次切り替えるサーチ処理を前記受信部に実行させ、前記受信部が前記所定の放送局を選局している場合には、前記所定の放送局の放送波の受信状況を示す情報を、前記提示部を使用して利用者に提示し、前記サーチ処理を実行している場合には、サーチ処理の実行中であることを示す情報を、前記提示部を利用して利用者に提示し、  前記受信部が選局した放送局の放送波に緊急警報放送が含まれているか否かを判断している場合には、前記判断中であることを示す情報を、前記提示部を利用して提示する、ことを特徴とする放送受信装置である。
【００１２】
請求項６に記載の発明は、放送波を受信して選局処理を行う受信部を備える放送受信装置において使用される放送受信方法であって、前記受信部が前記選局処理に際して利用する選局周波数を制御し、前記受信部が選局している放送局の放送波に緊急警報放送が含まれているか否かを判断する制御工程と；前記受信部が選局した放送局の放送波に緊急警報放送が含まれていた場合に、前記緊急警報放送に関する情報を利用者に提示する提示工程と；を備え、前記制御工程では、所定の放送局を前記受信部に選局させている状態において、前記所定の放送局の放送波の受信品質が所定品質より低い場合には、前記選局周波数を順次切り替えるサーチ処理を前記受信部に実行させ、前記サーチ処理では、所定回数の選局周波数の切り替えを行った後に、前記受信部に前記所定の放送局を選局させ、前記所定の放送局の放送波の受信品質が前記所定品質より低い場合には、再度、前記選局周波数を順次切り替える処理を続行させる、ことを特徴とする放送受信方法である。
【００１３】
請求項７に記載の発明は、放送受信装置が有するコンピュータに、請求項６に記載の放送受信方法を実行させる、ことを特徴とする放送受信プログラムである。
【００１４】
請求項８に記載の発明は、放送受信装置が有するコンピュータにより読み取り可能に、請求項７に記載の放送受信プログラムが記録されている、ことを特徴とする記録媒体である。
【図面の簡単な説明】
【００１５】
【図１】本発明の一実施形態に係る放送受信装置の構成を概略的に示すブロック図である。
【図２】図１の再生処理ユニットの構成を示すブロック図である。
【図３】図１の制御ユニットの構成を示すブロック図である。
【図４】図３の記憶部における記憶内容を説明するための図である。
【図５】図４のＮＨＫ中継局情報の内容を説明するための図である。
【図６】図４の全チャンネルリストの内容を説明するための図である。
【図７】図４の受信可チャンネルリストの内容を説明するための図である。
【図８】図１の装置による緊急警報放送の監視処理を説明するためのフローチャートである。
【図９】図８のサーチ処理を説明するためのフローチャートである。
【図１０】図９の受信可チャンネルリストの登録処理を説明するためのフローチャートである。
【図１１】図８のサーチリストの更新処理を説明するためのフローチャートである。
【図１２】監視状況を示すアイコンの例を説明するための図である。
【発明を実施するための形態】
【００１６】
以下、本発明の一実施形態を、図１〜図１２を参照して説明する。なお、以下の説明及び図面においては、同一又は同等の要素には同一の符号を付し、重複する説明を省略する。
【００１７】
［構成］
図１には、一実施形態に係る放送受信装置１００の概略的な構成がブロック図にて示されている。本実施形態では、放送受信装置１００は、移動体である車両内に配置され、地上デジタルテレビジョン放送波を受信して処理する。この車両には、位置検出ユニット５００が装備され、放送受信装置１００に接続されている。また、本実施形態では、この車両内には、不図示の音響装置やナビゲーション装置等の他の装置が配置されているものとする。
【００１８】
上記の位置検出ユニット５００は、ＧＰＳ（Global Positioning System）受信機等を備え、複数のＧＰＳ衛星から送られる電波の受信結果に基づいて、車両の位置（現在位置）を逐次検出する。そして、位置検出ユニット５００は、検出された車両の位置情報を放送受信装置１００へ送る。
【００１９】
＜放送受信装置１００の構成＞
次に、上記の放送受信装置１００の構成について、説明する。
【００２０】
放送受信装置１００は、図１に示されるように、アンテナ１１０E，１１０Cと、ＲＦ処理ユニット１２０E，１２０Cと、再生処理ユニット１３０とを備えている。また、放送受信装置１００は、入力ユニット１４０と、音出力ユニット１５０と、表示ユニット１６０とを備えている。さらに、放送受信装置１００は、位置情報取得ユニット１７０と、制御ユニット１９０とを備えている。
【００２１】
上記のアンテナ１１０E，１１０Cは、放送局から送信されている地上デジタルテレビジョン放送波を受信する。アンテナ１１０Eによる受信信号ＲＦＳEは、ＲＦ処理ユニット１２０Eへ送られる。また、アンテナ１１０Cによる受信信号ＲＦＳCは、ＲＦ処理ユニット１２０Cへ送られる。なお、アンテナ１１０Eは、受信部の一部の機能を果たすようになっている。
【００２２】
上記のＲＦ処理ユニット１２０Eは、アンテナ１１０Eから送られた受信信号ＲＦＳEを受ける。そして、ＲＦ処理ユニット１２０Eは、制御ユニット１９０から送られた選局指令ＣＳＬEに従って、選局すべき放送局の信号を受信信号ＲＦＳEから抽出する選局処理を行い、所定の中間周波数帯の成分を有する中間周波信号に変換する。こうして得られた中間周波信号は、信号ＩＦＤEとして再生処理ユニット１３０へ送られる。ここで、信号ＩＦＤEは、デジタル信号になっている。なお、ＲＦ処理ユニット１２０Eは、受信部の一部の機能を果たすようになっている。
【００２３】
上記のＲＦ処理ユニット１２０Cは、アンテナ１１０Cから送られた受信信号ＲＦＳCを受ける。そして、ＲＦ処理ユニット１２０Cは、制御ユニット１９０から送られた選局指令ＣＳＬCに従って、選局すべき希望放送局の信号を受信信号ＲＦＳCから抽出する選局処理を行い、所定の中間周波数帯の成分を有する中間周波信号に変換する。こうして得られた中間周波信号は、信号ＩＦＤCとして再生処理ユニット１３０へ送られる。ここで、信号ＩＦＤCは、デジタル信号になっている。
【００２４】
上記の再生処理ユニット１３０は、ＲＦ処理ユニット１２０Eから送られる信号ＩＦＤEを処理して、緊急警報放送（以下、「ＥＷＳ」とも記す）の受信の有無に関する情報を制御ユニット１９０へ送る。また、再生処理ユニット１３０は、制御ユニット１９０による制御のもとで、ＲＦ処理ユニット１２０Cから送られる信号ＩＦＤCを処理して、音出力ユニット１５０へ供給する音声データＡＤＴ及び表示ユニット１６０へ供給する映像データＩＤＴを生成する。再生処理ユニット１３０の構成の詳細については、後述する。
【００２５】
上記の入力ユニット１４０は、放送受信装置１００の本体部に設けられたキー部、及び／又はキー部を備えるリモート入力装置等により構成される。ここで、本体部に設けられたキー部としては、表示ユニット１６０の表示デバイスに設けられたタッチパネルを用いることができる。また、キー部を有する構成に代えて、又は併用して音声認識技術を利用して音声にて入力する構成を採用することもできる。
【００２６】
この入力ユニット１４０を利用者が操作することにより、放送受信装置１００の動作内容の設定や動作指令の入力が行われる。例えば、放送コンテンツの視聴再生、放送コンテンツの視聴停止、希望放送局を指定した選局指定等の利用者による入力が、入力ユニット１４０を利用して行われる。入力ユニット１４０への入力内容は、入力データＩＰＤとして、制御ユニット１９０へ送られる。  
【００２７】
上記の音出力ユニット１５０は、（ｉ）再生処理ユニット１３０から送られた音声データＡＤＴをアナログ信号に変換するＤＡ（Digital to Analogue）変換器と、（ii）当該ＤＡ変換器から出力されたアナログ信号を増幅する増幅器と、（iii）増幅されたアナログ信号を音声に変換するスピーカとを備えて構成されている。この音出力ユニット１５０は、選局されているチャンネルの放送波に対応する放送音声を再生出力する。また、この音出力ユニット１５０は、緊急警報放送に関する情報を音出力する。すなわち、音出力ユニット１５０は、提示部の機能の一部を果たすようになっている。
【００２８】
上記の表示ユニット１６０は、例えば、（ｉ）液晶パネル、有機ＥＬ（Electro Luminescence）パネル、ＰＤＰ（Plasma Display Panel）等の表示デバイスと、（ii）再生処理ユニット１３０から送られた映像データＩＤＴに基づいて、当該表示デバイスに画像を表示させる表示制御回路とを備えている。この表示ユニット１６０は、選局されているチャンネルに対応する放送映像を再生表示する。また、この表示ユニット１６０は、緊急警報放送に関する情報を表示する。すなわち、表示ユニット１６０は、提示部の機能の一部を果たすようになっている。
【００２９】
上記の位置取得ユニット１７０は、位置検出ユニット５００から送られた車両の位置情報を受ける。そして、位置取得ユニット１７０は、取得した車両の位置情報ＰＳＩを、制御ユニット１９０へ送る。
【００３０】
上記の制御ユニット１９０は、様々な処理を行うとともに、放送受信装置１００の全体の動作を制御する。制御ユニット１９０の構成の詳細については、後述する。
【００３１】
《再生処理ユニット１３０の構成》
次に、再生処理ユニット１３０の構成について説明する。
【００３２】
再生処理ユニット１３０は、図２に示されるように、復調部１３１E，１３１Cと、デマルチプレクサ部１３２E，１３２Cとを備えている。また、再生処理ユニット１３０は、音声処理部１３３と、映像処理部１３４とを備えている。
【００３３】
上記の復調部１３１Eは、ＲＦ処理ユニット１２０Eから送られた信号ＩＦＤEを受ける。そして、復調部１３１Eは、信号ＩＦＤEに対してＯＦＤＭ（Orthogonal Frequency Division Multiplex）復調を施す。こうして復調された信号は、信号ＤＭＤEとして、デマルチプレクサ部１３２E及び制御ユニット１９０へ送られる。
【００３４】
また、復調部１３１Eは、信号ＩＦＤEにおけるＣＮＲ（Carrier to Noise Ratio）を検出する。この検出結果は、検出値ＣＮＲとして、制御ユニット１９０へ送られる。
【００３５】
上記の復調部１３１Cは、ＲＦ処理ユニット１２０Cから送られた信号ＩＦＤCを受ける。そして、復調部１３１Cは、信号ＩＦＤCに対してＯＦＤＭ復調を施す。こうして復調された信号は、信号ＤＭＤCとして、デマルチプレクサ部１３２Cへ送られる。
【００３６】
上記のデマルチプレクサ部１３２Eは、復調部１３１Eから送られた信号ＤＭＤEを受ける。そして、デマルチプレクサ部１３２Eは、信号ＤＭＤEから音声、番組映像、データ放送以外の復号結果を、信号ＤＢＤEとして制御ユニット１９０へ送る。かかる信号ＤＢＤEに含まれる情報としては、ＰＳＩ（Program Specific Information）に含まれるＰＭＴ（Program Map Table）情報等がある。
【００３７】
上記のデマルチプレクサ部１３２Cは、復調部１３１Cから送られた信号ＤＭＤCを受ける。そして、デマルチプレクサ部１３２Cは、信号ＤＭＤCの復号処理を行い、音声に関する復号結果を、復号音声データＤＡＤとして、音声処理部１３３へ送る。また、デマルチプレクサ部１３２Cは、映像に関する復号結果を、復号映像データＤＩＤとして、映像処理部１３４へ送る。
【００３８】
上記の音声処理部１３３は、復号音声データＤＡＤに基づいて音声データＡＤＴを生成する。生成された音声データＡＤＴは、音出力ユニット１５０へ送られる。また、音声処理部１３３は、制御ユニット１９０から送られた緊急警報受信報告ＥＷＡを受けると、「緊急警報放送」を受信したことを利用者に提示するＥＷＳ音声データを生成する。生成されたＥＷＳ音声データは、音声データとして音出力ユニット１５０へ送られる。
【００３９】
上記の映像処理部１３４は、復号映像データＤＩＤに基づいて映像データＩＤＴを生成する。生成された映像データＩＤＴは、表示ユニット１６０へ送られる。また、映像処理部１３４は、制御ユニット１９０から送られた緊急警報受信報告ＥＷＩを受けると、「緊急警報放送」を受信したことを利用者に提示するＥＷＳ映像データを生成する。さらに、映像処理部１３４は、制御ユニット１９０から送られる監視情報ＷＣＩに基づいて、緊急警報放送の監視状況を示すＥＷＳ映像データを生成する。生成されたＥＷＳ映像データは、映像データとして表示ユニット１６０へ送られる。
【００４０】
《制御ユニット１９０の構成》
次いで、制御ユニット１９０の構成について説明する。
【００４１】
制御ユニット１９０は、図３に示されるように、記憶部１９１と、通常選局処理部１９２と、緊急警報放送監視部１９３とを備えている。
【００４２】
上記の記憶部１９１は、不揮発性の記憶素子を備えて構成されている。記憶部１９１には、制御ユニット１９０で利用される様々な情報データが記憶される。この記憶部１９１には、緊急警報放送監視部１９３がアクセス可能となっている。
【００４３】
ここで、記憶部１９１に記憶される情報データについて、図４〜図７を参照して説明する。記憶部１９１に記憶される情報データには、図４に示されるように、ＮＨＫ中継局情報ＮＦＩと、全チャンネルリストＴＣＬとが含まれている。また、記憶部１９１には、受信可チャンネルリストＡＣＬも記憶されるようになっている。
【００４４】
上記のＮＨＫ中継局情報ＮＦＩには、図５に示されるように、ＮＨＫ中継局の位置ＮＰＳj（ｊ＝１，２，…）と、当該位置ＮＰＳjのＮＨＫ中継局の周波数ＮＴＦjとが記憶されている。
【００４５】
上記の全チャンネルリスト（全ＣＨリスト）ＴＣＬには、図６に示されるように、地上デジタル放送に対応して、ＵＨＦ（Ultra High Frequency）における１３チャンネルから５２チャンネルまでが、順番に、チャンネルに対応する周波数ＦＱk（ｋ＝１３，…，５２）とともに記憶されている。
【００４６】
上記の受信可チャンネルリスト（受信可ＣＨリスト）ＡＣＬは、後述する緊急警報放送の監視処理により、緊急警報放送監視部１９３により生成される。この受信可チャンネルリストＡＣＬには、図７に示されるように、緊急警報放送の監視処理中に受信可能であった放送波の受信可チャンネルＡＣＨm（ｍ＝１，２，…）が、周波数ＡＦＱmとともに記憶される。
【００４７】
図３に戻り、上記の通常選局処理部１９２は、入力ユニット１４０から送られた入力データＩＰＤの内容が選局指定であった場合には、指定された希望放送局に対応する選局指令ＣＳＬCを生成する。そして、通常選局処理部１９２は、生成された選局指令ＣＳＬCを、ＲＦ処理ユニット１２０Cへ送る。
【００４８】
上記の緊急警報放送監視部１９３は、復調部１３１Eから送られる信号ＤＭＤEを受けるとともに、デマルチプレクサ部１３２Eから送られる信号ＤＢＤEを受ける。そして、緊急警報放送監視部１９３は、信号ＤＭＤE及び信号ＤＢＤEに基づいて、受信している放送波に緊急警報放送が含まれているか否かを判断する。かかる判断に際して、緊急警報放送監視部１９３は、まず、信号ＤＭＤEからＴＭＣＣ（Transmission Multiplexing Configuration Control）情報を取得し、緊急警報放送用起動フラグを監視する。引き続き、緊急警報放送監視部１９３は、当該緊急警報放送用起動フラグが「０」から「１」になったときには、信号ＤＢＤEに含まれるＰＭＴ（Program Map Table）情報を取得し、緊急情報記述子start_end_flgを監視する。そして、緊急情報記述子start_end_flgが「１」になったときに、緊急警報放送が開始されたと判断する。
【００４９】
かかる信号ＤＭＤE及び信号ＤＢＤEに基づく緊急警報放送の監視を行うにあたり、緊急警報放送監視部１９３は、まず、位置取得ユニット１７０から送られる車両の現在の位置情報ＰＳＩ及び記憶部１９１内のＮＨＫ中継局情報ＮＦＩに基づいて、現在位置から一番近いＮＨＫ中継局を特定する。引き続き、緊急警報放送監視部１９３は、特定されたＮＨＫ中継局の周波数ＮＴＦに対応する選局指令ＣＳＬEを生成する。次いで、緊急警報放送監視部１９３は、生成された選局指令ＣＳＬEをＲＦ処理ユニット１２０Eへ送り、特定されたＮＨＫ中継局の放送波の信号ＤＭＤE及び信号ＤＢＤEを収集する。また、緊急警報放送監視部１９３は、信号ＤＭＤE及び信号ＤＢＤEの収集と並行して、復調部１３１Eから送られるＣＮＲ（Carrier to Noise Ratio）の検出値ＣＮＲを取得し、特定されたＮＨＫ中継局の放送波の受信品質を評価する。
【００５０】
そして、緊急警報放送監視部１９３は、当該特定されたＮＨＫ中継局の放送波の受信品質が受信可能な所定品質以上の場合には、特定されたＮＨＫ中継局の選局を維持しつつ、緊急警報放送が開始されたか否かを監視する。一方、当該特定されたＮＨＫ中継局の放送波の受信品質が所定品質より低い場合には、記憶部１９１に記憶された全チャンネルリストＴＣＬ等を利用して、定期的なＮＨＫ放送波の受信品質の確認を含めた緊急警報放送の開始を監視するためのサーチ処理を実行する。
【００５１】
こうした緊急警報放送の監視中に、緊急警報放送が開始されたと判断した場合には、緊急警報放送監視部１９３は、緊急警報受信報告ＥＷＡを音声処理部１３３へ送るとともに、緊急警報受信報告ＥＷＩを映像処理部１３４へ送る。
【００５２】
また、緊急警報放送監視部１９３は、緊急警報放送の監視処理状況を示す監視情報ＷＣＩを生成して、映像処理部１３４へ送る。本実施形態では、緊急警報放送監視部１９３は、ＮＨＫ（所定の放送局）の放送波を受信している場合には、ＮＨＫの放送波の受信状況を内容とする監視情報ＷＣＩを生成する。また、緊急警報放送監視部１９３は、緊急警報放送の開始を監視するためのサーチ処理を実行している場合には、サーチ処理の実行中であることを内容とする監視情報ＷＣＩを生成する。さらに、緊急警報放送監視部１９３は、受信している放送波に緊急警報放送が含まれているか否かを判断している場合には、当該判断中であることを内容とする監視情報ＷＣＩを生成する。
【００５３】
緊急警報放送監視部１９３が実行する緊急警報放送の監視処理の詳細、緊急警報放送の監視状況の提示制御処理の詳細については、後述する。なお、緊急警報放送監視部１９３は、制御部の機能を果たすようになっている。
【００５４】
［動作］
以上のようにして構成された放送受信装置１００の動作について、緊急警報放送監視部１９３による緊急警報放送の監視処理、及び、緊急警報放送の監視状況の提示制御処理に主に着目して説明する。
【００５５】
前提として、位置検出ユニット５００からは、検出された車両の現在位置が放送受信装置１００へ逐次送られているものとする。
【００５６】
本実施形態では、緊急警報放送監視部１９３が実行する緊急警報放送の監視処理、及び、緊急警報放送の監視状況の提示制御処理（以下、「緊急警報放送の監視処理等」とも記す）は、放送受信装置１００としての機能選択が利用者により行われているか否かに関わらず、実行されるようになっている。つまり、利用者がＮＨＫやＮＨＫ以外の放送局の放送コンテンツの視聴再生を選択した際にも当該緊急警報放送の監視処理等は実行され、又、利用者が放送コンテンツの視聴停止を選択した際、車両に配置された音響装置やナビゲーション装置の動作中にも当該緊急警報放送の監視処理等は、実行されるようになっている。
【００５７】
かかる緊急警報放送の監視処理等は、図８に示されるように、まず、ステップＳ１１において、緊急警報放送監視部１９３が、車両の現在位置の位置情報ＰＳＩ及び記憶部１９１に記憶されたＮＨＫ中継局情報ＮＦＩに基づいて、現在位置から最も近いＮＨＫ中継局を特定する。引き続き、緊急警報放送監視部１９３は、特定されたＮＨＫ中継局の放送波の選局周波数ＮＴＦに対応する選局指令ＣＳＬEを生成し、ＲＦ処理ユニット１２０Eへ送る。
【００５８】
ＲＦ処理ユニット１２０Eは、当該選局指令ＣＳＬEを受けると、特定されたＮＨＫ中継局の信号を受信信号ＲＦＳEから抽出する選局処理を行い、所定の中間周波数帯の成分を有する信号ＩＦＤEに変換する。そして、ＲＦ処理ユニット１２０Eは、当該信号ＩＦＤEを、再生処理ユニット１３０へ送る（図１参照）。
【００５９】
再生処理ユニット１３０では、復調部１３１EがＲＦ処理ユニット１２０Eから送られた信号ＩＦＤEの復調処理を行い、信号ＤＭＤEを生成する。そして、復調部１３１Eは、生成された信号ＤＭＤEをデマルチプレクサ部１３２E及び制御ユニット１９０の緊急警報放送監視部１９３へ送る。また、復調部１３１Eは、信号ＩＦＤEにおけるＣＮＲを検出し、検出値ＣＮＲを緊急警報放送監視部１９３へ逐次送る。次いで、デマルチプレクサ部１３２Eが、復調部１３１Eから送られた信号ＤＭＤEの復号処理を行い、音声、番組映像、データ放送以外の復号結果である信号ＤＢＤEを緊急警報放送監視部１９３へ送る（図２，３参照）。
【００６０】
引き続き、ステップＳ１２において、緊急警報放送監視部１９３が、検出値ＣＮＲに基づいて受信している放送波の受信品質を評価し、受信可能な所定品質以上であるか否かを判定する。この判定の結果が肯定的であった場合（ステップＳ１２：Ｙ）には、処理はステップＳ１３へ進む。このステップＳ１３では、緊急警報放送監視部１９３が、信号ＤＭＤE及び信号ＤＢＤEに基づいて、上述した手法により緊急警報放送が開始されたか否かを判断することにより、ＥＷＳを検出したか否かを判定する。この判定の結果が否定的であった場合（ステップＳ１３：Ｎ）には、処理はステップＳ１２へ戻る。
【００６１】
そして、ステップＳ１２，Ｓ１３の処理の繰り返し中に、ＥＷＳを検出して、ステップＳ１３における判定の結果が肯定的となると（ステップＳ１３：Ｙ）、処理はステップＳ１４へ進む。このステップＳ１４では、緊急警報放送監視部１９３が、緊急警報受信報告ＥＷＡを音声処理部１３３へ送るとともに、緊急警報受信報告ＥＷＩを映像処理部１３４へ送る。
【００６２】
こうして緊急警報受信報告ＥＷＡが音声処理部１３３へ送られると、音声処理部１３３は、緊急警報放送を受信したことを利用者に提示するＥＷＳ音声データを生成して、音出力ユニット１５０へ送る。この結果、音出力ユニット１５０は、例えば、「緊急警報放送を受信しました」等の音出力を行う。また、緊急警報受信報告ＥＷＩが映像処理部１３４へ送られると、映像処理部１３４は、緊急警報放送を受信したことを利用者に提示するＥＷＳ映像データを生成して、表示ユニット１６０へ送る。この結果、表示ユニット１６０は、例えば、「緊急警報放送を受信しました」等の映像をポップアップ表示する。この後、処理はステップＳ１１へ戻る。
【００６３】
ここで、上述したステップＳ１２，Ｓ１３の処理の繰り返し中には、緊急警報放送監視部１９３は、特定したＮＨＫの放送波の受信状況が良好であることを内容とする監視情報ＷＣＩを生成して、映像処理部１３４へ送る。そして、映像処理部１３４は、当該監視情報ＷＣＩに基づくアイコン映像データを生成し、表示ユニット１６０へ送る。この結果、表示ユニット１６０には、ＮＨＫの放送波の受信状況が良好であることを示すアイコンが表示される（図１２（Ａ）参照）。
【００６４】
一方、ステップＳ１２における判定の結果が否定的であった場合（ステップＳ１２：Ｎ）には、処理はステップＳ１５へ進む。このステップＳ１５では、緊急警報放送監視部１９３が、選局数カウンタＣＮＴを「０」にセットする。次いで、ステップＳ１６において、緊急警報放送監視部１９３が、全チャンネルリストを「サーチリスト」にするとともに、受信可ＣＨリストＡＣＬの内容をクリアにする。また緊急警報放送監視部１９３は、タイマをスタートさせる。この後、処理はステップＳ１７へ進む。
【００６５】
ステップＳ１７では、サーチリストを利用した「サーチ処理」が行われる。かかるステップＳ１７の処理の詳細については、後述する。そして、ステップＳ１７の処理が終了すると、処理はステップＳ１８へ進む。
【００６６】
ステップＳ１８では、ＥＷＳ検出フラグが「ＯＮ」となっているか否かを判定する。この判定の結果が肯定的であった場合（ステップＳ１８：Ｙ）には、処理は上述したステップＳ１４へ進む。一方、ステップＳ１８における判定の結果が否定的であった場合（ステップＳ１８：Ｎ）には、処理はステップＳ１９へ進む。
【００６７】
ステップＳ１９では、「サーチリストの更新処理」が行われる。かかるステップＳ１９の処理の詳細については、後述する。そして、ステップＳ１９の処理が終了すると、処理はステップＳ２０へ進む。
【００６８】
ステップＳ２０では、緊急警報放送監視部１９３が、タイマスタートから５分経過したか否かを判定する。この判定の結果が否定的であった場合（ステップＳ２０：Ｎ）には、処理はステップＳ１７へ戻る。タイマスタートから５分が経過して、ステップＳ２０における判定の結果が肯定的となると（ステップＳ２０：Ｙ）、処理はステップＳ１６へ戻る。
【００６９】
以後、ステップＳ１１〜Ｓ２０の処理が繰り返されて、緊急警報放送の監視処理等が行われる。
【００７０】
＜サーチ処理＞
次に、上述したステップＳ１７におけるサーチリストを利用した「サーチ処理」について説明する。
【００７１】
この「サーチ処理」は、図９に示されるように、まず、ステップＳ３１において、緊急警報放送監視部１９３が、サーチリストの先頭（一行目）に登録されているチャンネルに対応する周波数を選局周波数に指定する。引き続き、ステップＳ３２において、緊急警報放送監視部１９３が、指定した選局周波数に対応する選局指令ＣＳＬEを生成し、ＲＦ処理ユニット１２０Eへ送る。こうして選局指令ＣＳＬEをＲＦ処理ユニット１２０Eへ送ると、緊急警報放送監視部１９３は、選局周波数の放送波についての信号ＤＭＤE及び信号ＤＢＤE、並びに、検出値ＣＮＲを取得する。
【００７２】
引き続き、ステップＳ３３において、緊急警報放送監視部１９３が、信号ＤＭＤE及び信号ＤＢＤEに基づいて、ＥＷＳを検出したか否かを判定する。この判定の結果が肯定的であった場合（ステップＳ３３：Ｙ）には、処理はステップＳ３４へ進む。このステップＳ３４では、緊急警報放送監視部１９３が、ＥＷＳ検出フラグを「ＯＮ」に設定する。こうしてＥＷＳ検出フラグが「ＯＮ」に設定されると、ステップＳ１７のサーチ処理が終了する。そして、処理は上述した図８のステップＳ１８へ進む。
【００７３】
ステップＳ３３における判定の結果が否定的であった場合（ステップＳ３３：Ｎ）には、処理はステップＳ３５へ進む。このステップＳ３５では、「受信可チャンネルリストの登録処理」が行われる。かかるステップＳ３５の処理の詳細については、後述する。そして、ステップＳ３５の処理が終了すると、処理はステップＳ３６へ進む。
【００７４】
ステップＳ３６では、緊急警報放送監視部１９３が、選局数カウンタＣＮＴを「１」だけインクリメントする。引き続き、ステップＳ３７において、緊急警報放送監視部１９３が、選局数カウンタＣＮＴが「６」となったか否かを判定する。この判定の結果が否定的であった場合（ステップＳ３７：Ｎ）には、処理は、後述するステップＳ４１へ進む。
【００７５】
ステップＳ３７における判定の結果が肯定的であった場合（ステップＳ３７：Ｙ）には、処理はステップＳ３８へ進む。このステップＳ３８では、緊急警報放送監視部１９３が、車両の現在位置の位置情報ＰＳＩ及びＮＨＫ中継局情報ＮＦＩに基づいて、現在位置から最も近いＮＨＫ中継局を特定する。そして、緊急警報放送監視部１９３は、特定されたＮＨＫ中継局の放送波の周波数ＮＴＦに対応する選局指令ＣＳＬEを生成し、ＲＦ処理ユニット１２０Eへ送る。この後、処理はステップＳ３９へ進む。
【００７６】
ステップＳ３９では、緊急警報放送監視部１９３が、復調部１３１Eから送られた検出値ＣＮＲに基づいてＮＨＫの放送波の受信品質を評価し、受信可能な所定品質以上であるか否かを判定する。この判定の結果が否定的であった場合（ステップＳ３９：Ｎ）には、処理はステップＳ４０へ進む。このステップＳ４０では、緊急警報放送監視部１９３が、選局数カウンタＣＮＴを「０」にリセットする。この後、処理は、後述するステップＳ４１へ進む。
【００７７】
一方、ＮＨＫの放送波の受信品質が所定以上となり、ステップＳ３９における判定の結果が肯定的となると（ステップＳ３９：Ｙ）、ステップＳ１７のサーチ処理が終了する。そして、処理は上述した図８のステップＳ１３へ戻る。
【００７８】
ステップＳ４１では、緊急警報放送監視部１９３が、サーチリストにおける選局指定位置（選局指定行）が最後（最終行目）となっているか否かを判定する。この判定の結果が否定的であった場合（ステップＳ４１：Ｎ）には、処理はステップＳ４２へ進む。ステップＳ４２では、緊急警報放送監視部１９３が、サーチリストにおける選局指定位置（選局指定行）を一つだけ下げる。例えば、１４チャンネルの選局処理を行っている場合には、１５チャンネルを選局用チャンネルに指定する。この後、処理はステップＳ３２へ戻る。
【００７９】
ステップＳ４１における判定の結果が肯定的となった場合（ステップＳ４１：Ｙ）には、処理はステップＳ４３へ進む。このステップＳ４３では、緊急警報放送監視部１９３が、ＥＷＳ検出フラグを「ＯＦＦ」に設定する。こうしてＥＷＳ検出フラグが「ＯＦＦ」に設定されると、ステップＳ１７のサーチ処理が終了する。そして、処理は上述した図８のステップＳ１８へ進む。
【００８０】
ここで、上述したステップＳ１７のサーチ処理の実行中には、緊急警報放送監視部１９３は、サーチ処理が実行中であることを内容とする監視情報ＷＣＩを生成して、映像処理部１３４へ送る。そして、映像処理部１３４は、当該監視情報ＷＣＩに基づいてアイコン映像データを生成し、表示ユニット１６０へ送る。この結果、表示ユニット１６０には、サーチ処理の実行中であることを示すアイコンが表示される（図１２（Ｂ）参照）。
【００８１】
なお、ステップＳ１７のサーチ処理中であっても、上述したステップＳ３３のＥＷＳの判定中には、緊急警報放送監視部１９３は、受信した放送波に緊急警報放送が含まれているか否かを判断していることを内容とする監視情報ＷＣＩを生成して、映像処理部１３４へ送る。そして、映像処理部１３４は、当該監視情報ＷＣＩに基づくアイコン映像データを生成し、表示ユニット１６０へ送る。この結果、表示ユニット１６０には、ＥＷＳの判定中であることを示すアイコンが表示される（図１２（Ｃ）参照）。本実施形態では、利用者によるアイコンの視認を確保するため、このアイコン表示は、ＥＷＳの判定開始より数１００［ｍｓｅｃ］の間、継続するようになっている。
【００８２】
《受信可チャンネルリストの登録処理》
次いで、ステップＳ３５における「受信可チャンネルリストの登録処理」について説明する。
【００８３】
この「受信可チャンネルリストの登録処理」は、図１０に示されるように、まず、ステップＳ５１において、緊急警報放送監視部１９３が、現時点で使用している「サーチリスト」が全チャンネルリストＴＣＬであるか否かを判定する。この判定の結果が否定的であった場合（ステップＳ５１：Ｎ）には、ステップＳ３５の処理が終了する。そして、処理は、上述した図９のステップＳ３６へ進む。
【００８４】
ステップＳ５１における判定の結果が肯定的であった場合（ステップＳ５１：Ｙ）には、処理はステップＳ５２へ進む。このステップＳ５２では、緊急警報放送監視部１９３が、復調部１３１Eから送られた検出値ＣＮＲに基づいて放送波の受信品質を評価し、受信可能な所定品質以上であるか否かを判定する。この判定の結果が否定的であった場合（ステップＳ５２：Ｎ）には、ステップＳ３５の処理が終了する。そして、処理は、上述した図９のステップＳ３６へ進む。
【００８５】
ステップＳ５２における判定の結果が肯定的であった場合（ステップＳ５２：Ｙ）には、処理はステップＳ５３へ進む。このステップＳ５３では、緊急警報放送監視部１９３が、現在の選局中の周波数に対応するチャンネルを、受信可チャンネルとして周波数とともに受信可チャンネルリストＡＣＬに登録する。こうして受信可チャンネルリストＡＣＬに受信可チャンネルが登録されると、ステップＳ３５の処理が終了する。そして、処理は、上述した図９のステップＳ３６へ進む。
【００８６】
＜サーチリストの更新処理＞
次に、上述したステップＳ１９における「サーチリストの更新処理」について説明する。
【００８７】
この「サーチリストの更新処理」は、図１１に示されるように、まず、ステップＳ６１において、緊急警報放送監視部１９３が、現時点で使用している「サーチリスト」が全チャンネルリストＴＣＬであるか否かを判定する。この判定の結果が否定的であった場合（ステップＳ６１：Ｎ）には、ステップＳ１９の処理が終了する。そして、処理は、上述した図８のステップＳ２０へ進む。
【００８８】
ステップＳ６１における判定の結果が肯定的であった場合（ステップＳ６１：Ｙ）には、処理はステップＳ６２へ進む。このステップＳ６２では、緊急警報放送監視部１９３が、記憶部１９１内の受信可チャンネルリストＡＣＬに、受信可チャンネルが１つ以上登録されているか否かを判定する。この判定の結果が否定的であった場合（ステップＳ６２：Ｎ）には、ステップＳ１９の処理が終了する。そして、処理は、上述した図８のステップＳ２０へ進む。
【００８９】
ステップＳ６２における判定の結果が肯定的であった場合（ステップＳ６２：Ｙ）には、処理はステップＳ６３へ進む。このステップＳ６３では、緊急警報放送監視部１９３が、受信可チャンネルリストを「サーチリスト」にする。こうして「サーチリスト」が更新設定されると、ステップＳ１９の処理が終了する。そして、処理は、上述した図８のステップＳ２０へ進む。
【００９０】
以上説明したように、本実施形態では、緊急警報放送監視部１９３が、車両の現在位置及びＮＨＫ中継局情報ＮＦＩに基づいて、最も近いＮＨＫ中継局を特定する。次いで、緊急警報放送監視部１９３は、特定されたＮＨＫ中継局の選局周波数ＮＴＦに対応する選局指令ＣＳＬEをＲＦ処理ユニット１２０Eへ送り、緊急警報放送の受信の有無に関する情報である信号ＤＭＤE及び信号ＤＢＤEを収集する。また、緊急警報放送監視部１９３は、信号ＤＭＤE及び信号ＤＢＤEの収集と並行して、ＣＮＲの検出値ＣＮＲを取得し、特定されたＮＨＫ中継局の放送波の受信品質を評価する。
【００９１】
そして、緊急警報放送監視部１９３は、当該特定されたＮＨＫ中継局の放送波の受信品質が受信可能な所定品質以上の場合には、特定されたＮＨＫ中継局の選局を維持しつつ、緊急警報放送が開始されたか否かを監視する。一方、当該特定されたＮＨＫ中継局の放送波の受信品質が所定品質より低い場合には、まず、１３チャンネルから５２チャンネルまでの全チャンネルが登録された全チャンネルリストＴＣＬを「サーチリスト」にして、放送波の選局周波数を順次切り替えて行う緊急警報放送の開始を監視するためのサーチ処理を実行する。
【００９２】
かかるサーチ処理では、緊急警報放送監視部１９３は、サーチリストを利用した選局周波数の切り替えを６回だけ行った後に、ＲＦ処理ユニット１２０EにＮＨＫを選局させ、ＮＨＫの放送波の受信品質を評価する。そして、緊急警報放送監視部１９３は、ＮＨＫの放送波の受信品質が所定品質より低い場合には、サーチリストを利用した選局周波数の６回の切り替え処理、ＮＨＫの選局処理を、順次、繰り返すサーチ処理を継続し、ＮＨＫの放送波の受信品質が所定品質以上となった場合には、サーチ処理を終了する。
【００９３】
このため、ＮＨＫから放送される放送波が受信可能な場合は、災害の発生時等に緊急警報放送を送信する可能性が高いＮＨＫの放送波の受信を続け、緊急警報放送の送信を待機することができる。また、ＮＨＫから放送される放送波が受信できない状態では、他の放送局の放送波を順次受信し、他の放送局から送信される緊急警報放送を見逃さずに待機することができる。さらに、ＮＨＫから放送される放送波が受信できない状態から受信できる状態へと変化した際には、迅速に、緊急警報放送を送信する可能性が高いＮＨＫの放送波の受信の維持を開始して、緊急警報放送の送信を待機することができる。
【００９４】
また、本実施形態では、全チャンネルリストＴＣＬを「サーチリスト」にしたサーチ処理を実行している間に、緊急警報放送監視部１９３は、受信可能なチャンネルを受信可チャンネルリストＡＣＬに登録する。そして、緊急警報放送監視部１９３は、次のサーチ処理においては、当該受信可能なチャンネルが登録された受信可チャンネルリストＡＣＬを「サーチリスト」にして、放送波の選局周波数を順次切り替えて行う緊急警報放送の開始を監視するためのサーチ処理を実行する。
【００９５】
このため、緊急警報放送の開始を監視するための効率的なサーチ処理を行うことができる。
【００９６】
また、本実施形態では、緊急警報放送監視部１９３は、タイマスタートから５分経過したときには、受信可チャンネルリストの内容をクリアにして、あらため、全チャンネルリストＴＣＬを「サーチリスト」にして、放送波の選局周波数を順次切り替えて行う緊急警報放送の開始を監視するためのサーチ処理を実行する。
【００９７】
このため、車両の移動により受信可能なチャンネルが変化しても、当該変化に対応して、緊急警報放送の開始を監視するためのサーチ処理を合理的に行うことができる。
【００９８】
また、本実施形態では、緊急警報放送の開始を監視するためにＮＨＫを選局している間には、ＮＨＫの放送波の受信状況を示すアイコンを表示して利用者に提示する。また、緊急警報放送の開始を監視するためのサーチ処理の実行中には、当該サーチ処理の実行中であることを示すアイコンを表示して利用者に提示する。さらに、緊急警報放送の判定中には、緊急警報放送の判定中であることを示すアイコンを表示して利用者に提示する。
【００９９】
このため、車両で走行中であっても、現在位置において緊急警報放送の受信が可能かどうかを利用者が判断することができる。
【０１００】
また、本実施形態では、ＮＨＫから送信される放送コンテンツの視聴用再生の有無に関わらず、上述した緊急警報放送の監視処理及び緊急警報放送の監視状況の提示制御処理が実行される。また、本実施形態では、利用者が放送コンテンツの視聴停止を選択した際や、車両に配置された音響装置やナビゲーション装置の動作中にも、上述した緊急警報放送の監視処理及び緊急警報放送の監視状況の提示制御処理が実行される。
【０１０１】
このため、利用者は、車両内で放送コンテンツを視聴していなくても、災害の発生時等においては緊急警報放送が送信されたことを利用者が認識することができる。また、利用者は、車両内で放送コンテンツを視聴していなくても、現在位置において、緊急警報放送の受信が可能かどうかを利用者が判断することができる。
【０１０２】
したがって、本実施形態によれば、災害の発生時において迅速かつ確実に緊急警報放送を受信し、利用者に対して災害の発生を迅速に提示することができる。
【０１０３】
［実施形態の変形］
本発明は、上記の実施形態に限定されるものではなく、様々な変形が可能である。
【０１０４】
例えば、上記の実施形態では、サーチ処理においては、サーチリストを利用した選局周波数の６回の切り替え処理、ＮＨＫの選局処理を、順次、繰り返すようにした。これに対して、ＮＨＫの選局処理を行うまでのサーチリストを利用した選局周波数の選局回数（所定回数）を、５回等、他の回数にしてもよい。
【０１０５】
また、上記の実施形態では、緊急警報放送の監視処理において、タイマスタートから５分経過したときに、受信可チャンネルリストの内容をクリアにし、全チャンネルリストＴＣＬを「サーチリスト」にして、サーチ処理をあらためて実行するようにした。これに対して、当該受信可チャンネルリストの内容をクリアにし、全チャンネルリストＴＣＬを「サーチリスト」にしたサーチ処理を実行するタイミングを、タイマスタートから１０分にする等、５分以外の他の時間であってもよい。
【０１０６】
また、上記の実施形態では、受信可チャンネルリストの内容をクリアにし、全チャンネルリストＴＣＬを「サーチリスト」にして、サーチ処理をあらためて実行する指標をタイマスタートからの経過時間としたが、当該指標を移動距離としてもよい。また、当該指標として、タイマスタートからの経過時間及び移動距離を利用し、当該経過時間及び移動距離に基づいて、受信可チャンネルリストの内容をクリアする等のタイミングを決定するようにしてもよい。
【０１０７】
また、本実施形態では、緊急警報放送の監視処理に際して、極力選局を維持する放送局をＮＨＫとしたが、極力選局を維持する放送局は、ＮＨＫ以外の他の放送局であってもよい。
【０１０８】
また、上記の実施形態では、２つのアンテナ、２つのＲＦ処理ユニット、並びに、２つの復調部及びデマルチプレクサ部を備えることとしたが、例えば、３つ以上のアンテナ、３つ以上のＲＦ処理ユニット、並びに、２つの復調部及びデマルチプレクサ部を備えるようにしてもよい。この場合には、１つのＲＦ処理ユニット、１つの復調部及びデマルチプレクサ部を緊急警報放送の監視用の構成要素とし、他の要素を放送コンテンツ視聴用の構成要素とすればよい。
【０１０９】
また、１つのアンテナ、１つのＲＦ処理ユニット、並びに、１つの復調部及びデマルチプレクサ部を備える構成としてもよい。こうした構成を採用した場合にも、車両内で放送コンテンツを視聴していない状態で、災害の発生時等においては緊急警報放送の受信を認識することができる。
【０１１０】
また、上記の実施形態では、放送受信装置とは独立して、位置検出ユニットが存在するようにした。これに対し、位置情報の供給を受けることが困難な場合には、位置検出ユニットを放送受信装置が備える構成としてもよい。
【０１１１】
また、上記の実施形態においては、車両に搭載される放送受信装置に本発明を適用したが、車両以外の他の移動体に配置される放送受信装置にも本発明を適用することもできるし、スマートフォン等の携帯端末装置に配置される放送受信装置にも本発明を適用することができる。また、家庭内に配置される放送受信装置にも本発明を適用することができる。
【０１１２】
なお、上記の制御ユニットの一部又は全部を中央処理装置（ＣＰＵ：Central Processing Unit）等を備えた演算手段としてのコンピュータとして構成し、予め用意されたプログラムを当該コンピュータで実行することにより、上記の実施形態における制御ユニットの機能を実現するようにしてもよい。このプログラムはハードディスク、ＣＤ−ＲＯＭ、ＤＶＤ等のコンピュータで読み取り可能な記録媒体に記録され、当該コンピュータによって記録媒体から読み出されて実行される。また、このプログラムは、ＣＤ−ＲＯＭ、ＤＶＤ等の可搬型記録媒体に記録された形態で取得されるようにしてもよいし、インターネットなどのネットワークを介した配信の形態で取得されるようにしてもよい。
【符号の説明】
【０１１３】
１００   …  放送受信装置
１１０E  …  アンテナ（受信部の一部）
１２０E  …  ＲＦ処理ユニット（受信部の一部）
１５０   …  音出力ユニット（提示部の一部）
１６０   …  表示ユニット（提示部の一部）
１９３   …  緊急警報放送監視部（制御部）
【図１】
2015192187.tif 000003
【図２】
2015192187.tif 000004
【図３】
2015192187.tif 000005
【図４】
2015192187.tif 000006
【図５】
2015192187.tif 000007
【図６】
2015192187.tif 000008
【図７】
2015192187.tif 000009
【図８】
2015192187.tif 000010
【図９】
2015192187.tif 000011
【図１０】
2015192187.tif 000012
【図１１】
2015192187.tif 000013
【図１２】
2015192187.tif 000014